(57)【要約】【課題】出射効率および輝度の均一性を向上させること。【解決手段】実施形態に係るレンズは、列状に配置された複数の点光源を出射方向から覆うレンズであって、出射面である主面と、点光源に対応する位置において主面から裏面に向かって厚み方向に窪んだ複数の凹部と、主面から裏面側に反射した光を主面側に反射させる反射部とを備える。【選択図】図６
2019109994.tif 000002
【特許請求の範囲】
【請求項１】
列状に配置された複数の点光源を出射方向から覆うレンズであって、
出射面である主面と、
前記主面と対向する裏面と、
前記点光源に対応する位置において前記主面から前記裏面に向かって厚み方向に窪んだ複数の凹部と、
前記主面から前記裏面側に反射した光を前記主面側に反射させる反射部と
を備えるレンズ。
【請求項２】
前記レンズは、
格子状に配列された前記点光源のうち、短手方向に並んだ複数の点光源を覆う
請求項１に記載のレンズ。
【請求項３】
前記レンズは、
前記主面に前記凹部と連続して設けられる平坦部を有する
請求項１または２に記載のレンズ。
【請求項４】
前記レンズは、
上面視において矩形状または略矩形状であり
前記凹部は、
断面形状が略逆円錐状である、
請求項１〜３のいずれか一つに記載のレンズ。
【請求項５】
前記裏面に設けられ、前記点光源に対応する位置から前記点光源に向かって楔状に突出した楔部を備える
請求項１〜４のいずれか一つに記載のレンズ。
【請求項６】
前記楔部は、
底面の対向する２つの辺が前記点光源の列と略直交する
請求項５に記載のレンズ。
【請求項７】
前記楔部は、
底面の対向する２つの辺が前記点光源の列と略平行である
請求項５または６に記載のレンズ。
【請求項８】
前記主面において隣接する２つの前記点光源の境界領域に前記点光源の配列向きと直交する向きに沿って形成され、前記主面から光を透過させる透過部
を備える請求項１〜７のいずれか一つに記載のレンズ。
【請求項９】
複数の点光源が格子状に実装される基板と、
短手方向の配列向きに並ぶ複数の前記点光源を単体で覆い、長手方向に沿って並列して設けられる複数のレンズと、
前記基板と前記複数のレンズとを収容するフレームと
を備える面状照明装置。
【請求項１０】
前記レンズは、
出射面である主面と、
前記主面と対向する裏面と、
前記点光源に対応する位置において前記主面から前記裏面に向かって厚み方向に窪んだ複数の凹部と、
前記主面から前記裏面側に反射した光を前記主面側に反射させる反射部と
を備える請求項９に記載の面状照明装置。
【請求項１１】
前記レンズは、
前記主面に前記凹部と連続して設けられる平坦部を有する、
請求項９または１０に記載の面状照明装置。
【請求項１２】
前記レンズは、
上面視において矩形状または略矩形状であり、
前記凹部は、
断面形状が略逆円錐状である
請求項９、１０または１１に記載の面状照明装置。
【請求項１３】
前記レンズは、
前記裏面に設けられ、前記点光源に対応する位置からそれぞれ対応する前記点光源に向かって楔状に突出した楔部を備える
請求項９〜１２のいずれか一つに記載の面状照明装置。
【請求項１４】
前記レンズは、
前記主面において隣接する２つの前記点光源の境界領域に前記点光源の配列向きと直交する向きに沿って形成され、前記主面から光を透過させる透過部を備える
請求項９〜１３のいずれか一つに記載の面状照明装置。
【発明の詳細な説明】
【技術分野】
【０００１】
本発明は、レンズおよび面状照明装置に関する。
【背景技術】
【０００２】
近年、液晶表示装置の表示パネルを背面側から照明する面状照明装置がある。面状照明装置は、エッジライト型と、直下型とに大別される。また、面状照明装置においては、各点光源の光量をそれぞれ制御することによって、発光面の領域毎に輝度を調整することが可能である、いわゆるローカルディミング（エリア発光）対応の面状照明装置が知られている。
【先行技術文献】
【特許文献】
【０００３】
【特許文献１】特開２０１０−８８３７号公報
【発明の概要】
【発明が解決しようとする課題】
【０００４】
しかしながら、従来の面状照明装置では、出射効率および輝度の均一性を向上させる点において改善の余地があった。出射効率のみを向上させようとすると、輝度の均一性の低下を招く恐れがあり、輝度の均一性を向上させようとすると、出射効率の低下を招く恐れがある。
【０００５】
本発明は、上記に鑑みてなされたものであって、出射効率および輝度の均一性を向上させることができるレンズおよび面状照明装置を提供することを目的とする。
【課題を解決するための手段】
【０００６】
上述した課題を解決し、目的を達成するために、本発明の一態様に係るレンズは、列状に配置された複数の点光源を出射方向から覆うレンズであって、出射面である主面と、前記主面と対向する裏面と、前記点光源に対応する位置において前記主面から前記裏面に向かって厚み方向に窪んだ複数の凹部と、前記主面から前記裏面側に反射した光を前記主面側に反射させる反射部とを備える。
【発明の効果】
【０００７】
本発明の一態様によれば、出射効率および輝度の均一性を向上させることができる。
【図面の簡単な説明】
【０００８】
【図１】図１は、実施形態に係る面状照明装置の外観の一例を示す上面図である。
【図２】図２は、実施形態に係るレンズの配置例を示す上面図である。
【図３Ａ】図３Ａは、図１に示すＡ−Ａ線に沿った断面模式図（その１）である。
【図３Ｂ】図３Ｂは、図１に示すＡ−Ａ線に沿った断面模式図（その２）である。
【図４Ａ】図４Ａは、図２に示すＢ−Ｂ線に沿った断面模式図（その１）である。
【図４Ｂ】図４Ｂは、図２に示すＢ−Ｂ線に沿った断面模式図（その２）である。
【図５】図５は、実施形態に係るレンズを裏面側から見た斜視図である。
【図６】図６は、実施形態に係るレンズの配光特性を示す図である。
【図７】図７は、実施形態に係るレンズのシミュレーション結果を示す図（その１）である。
【図８】図８は、実施形態に係るレンズのシミュレーション結果を示す図（その２）である。
【図９】図９は、変形例に係るレンズを裏面側から見た斜視図（その１）である。
【図１０】図１０は、変形例に係るレンズを裏面側から見た斜視図（その２）である。
【０００９】
以下、実施形態に係る面状照明装置について図面を参照して説明する。なお、以下に示す実施形態によりこの発明が限定されるものではない。また、図面における各要素の寸法の関係、各要素の比率等は、現実と異なる場合がある。また、図面の相互間においても、互いの寸法の関係や比率が異なる部分が含まれている場合がある。
【００１０】
まず、図１を用いて、実施形態に係る面状照明装置の概要について説明する。図１は、実施形態に係る面状照明装置の外観の一例を示す正面図である。本実施形態に係る面状照明装置１は、直下型の面状照明装置であり、各種液晶表示装置のバックライトとして用いられる。かかる液晶表示装置は、例えば、車両の電子スピードメータであるが、これに限定されない。
【００１１】
図１の例に示すように、実施形態に係る面状照明装置１は、フレーム１０で覆われていない出射領域から光を出射する。また、コネクタＣは、電源配線や信号配線等が接続される。すなわち、実施形態に係る面状照明装置１は、コネクタＣを介して電源や信号が供給される。
【００１２】
次に、図２を用いて実施形態に係るレンズの配置例について説明する。図２は、実施形態に係るレンズの配置例を示す上面図である。なお、図２では、点光源３０を併せて示す。
【００１３】
図２に示すように、実施形態に係るレンズ５０は、格子状に並んだ複数の点光源３０のうち、短手方向（Ｙ軸）に並んだ複数の点光源３０を単体で覆い、長手方向（Ｘ軸）に沿って並列して配置される。
【００１４】
このように、レンズ５０は、短手方向に並ぶ複数の点光源３０を覆うことで、長手方向に並ぶ複数の点光源３０を覆う場合に比べて、レンズ長を短くすることができる。
【００１５】
これは、点光源３０の発熱や、周囲環境温度により、レンズ５０が熱膨張（収縮）するためであり、レンズ５０の熱膨張により点光源３０とレンズ５０との位置ずれが起こることによるレンズ５０の光学特性の低下を抑制するためである。仮に、レンズ５０の単位体積当たりの膨張率が同じであると仮定すると、レンズ長が長いほど、膨張（収縮）する体積が増えるのでレンズ５０が大きく膨張（収縮）する。
【００１６】
また、レンズ５０には、点光源３０の位置を基準にして配光特性が設計される。このため、レンズ５０と点光源３０との位置にズレが生じると、レンズ５０の配光特性が低下する。つまり、実施形態に係るレンズ５０は、比較的レンズ長が短くて済む短手方向に配列した点光源３０を覆うことで、各点光源３０とレンズ５０との位置ずれを抑制する。これにより、レンズ５０の熱膨張による配光特性の低下を抑制することが可能となる。
【００１７】
また、図２に示すように、レンズ５０は、短手方向に配列した一列の点光源３０を覆う。これにより、レンズ５０の幅（Ｘ軸方向の長さ）を小さくすることができるので、出射領域が湾曲した面状照明装置１に適用することができる。
【００１８】
なお、レンズ５０は、長手方向に沿って点光源３０を覆うようにしてもよく、また、複数の列の点光源３０を覆うようにしてもよい。かかる場合に、レンズ５０の枚数を少なくすることができるので、製造工程を簡略化することができる。
【００１９】
次に、図３Ａおよび図３Ｂを用いて実施形態に係る面状照明装置１の内部構成について説明する。図３Ａおよび図３Ｂは、図１に示すＡ−Ａ線に沿った断面模式図である。図３Ａに示すように、実施形態に係る面状照明装置１は、フレーム１０と、基板２０と、点光源３０と、反射板４０と、レンズ５０と、拡散板６０と、スペーサ７０と、光学シート８０と、弾性部材９０とを備える。
【００２０】
フレーム１０は、剛性が大きい、例えば、ステンレス製の板金フレームであり、面状照明装置１の各部材を収容する。また、フレーム１０は、例えば、上フレーム１１と、下フレーム１２とを備える。
【００２１】
上フレーム１１は、下フレーム１２の上面側に配置される。上フレーム１１は、中央部に開口部が形成された矩形状の天板１１ａと、天板１１ａの周縁から下フレーム１２の外側面に沿って延伸する側壁１１ｂとを有する。下フレーム１２は、矩形状の底部１２ａと、底部１２ａから上フレーム１１の内側面に沿って延伸する側壁１２ｂとを有する。
【００２２】
基板２０は、例えばエポキシ樹脂またはＰＩ（ポリイミド）からなり、複数の点光源３０が格子状に実装される。点光源３０は、例えば、ＬＥＤ（Light  Emitting  Diode）である。点光源３０は、光軸がレンズ５０と略垂直となるように、基板２０上に配置される。
【００２３】
反射板４０は、例えば、樹脂等で形成される。反射板４０は、レンズ５０で反射板４０側に反射した光をレンズ５０に向けて再度反射させる。これにより、出射効率を向上させることが可能である。
【００２４】
レンズ５０は、点光源３０から出射した光の配光制御を行う。レンズ５０は、上面視において、外形形状が形状または略矩形状である。本実施形態にかかるレンズ５０は、上面視において、短手方向（Ｙ軸）に平行に延びる辺が長辺で、長手方向（Ｘ軸）に平行な方向に延びる辺が短辺の長方形形状である。レンズ５０の材質として、例えばＰＭＭＡ（ポリメチルメタクリレート）やポリカーボネートを用いることができるが、これに限定されない。レンズ５０によって配光制御された光は、拡散板６０に出射される。また、レンズ５０は、基板２０側へ突出した脚部５６を有する。例えば、レンズ５０は、脚部５６の底面に接着剤等の接着部材が塗布され、基板２０に固定される。
【００２５】
拡散板６０は、樹脂等の材料で構成され、レンズ５０から出射された光を拡散する機能を有する。すなわち、レンズ５０から出射した光は、拡散板６０によって拡散され、光学シート８０へ導かれる。
【００２６】
スペーサ７０は、レンズ５０と拡散板６０との間に配置され、レンズ５０と拡散板６０との間隔を一定に保持する。スペーサ７０の材質は特に限定されないが、例えば白色の樹脂で成形し、レンズ５０から出射する光を反射する機能を持たせてもよい。スペーサ７０は、面状照明装置１の長手方向（Ｘ軸）に沿って拡散板６０を下面側から押圧し、かかる長手方向に沿ってレンズ５０を上面側から押圧する。なお、スペーサ７０は、面状照明装置１の短手方向（Ｙ軸）については、必ずしもレンズ５０と拡散板６０との間隔を一定に保持しなくてもよい。
【００２７】
光学シート８０は、拡散板６０から出射された光に対して均一化や配向制御などの光学的な調整を行って、光学的な調整が行われた光を出射する。図３に示す例では、光学シート８０が、第１シート８１と、第２シート８２との２枚のシートで構成される場合について例示している。
【００２８】
例えば、第１シート８１は、ＢＥＦ（Brightness  Enhancement  Film）であり、第２シート８２は、ＤＢＥＦ（Ｄｕａｌ  Brightness  Enhancement  Film）であるが、面状照明装置１に求められる発光態様によって任意に変更することが可能である。また、光学シート８０は、例えば、接着剤や両面テープ等の接着部材によって拡散板６０の出射面に固定される。
【００２９】
弾性部材９０は、ゴムやスポンジ等の弾性を有する枠状の部材である。弾性部材９０は、光学シート８０上に設けられ、スペーサ７０とで拡散板６０と光学シート８０とを挟んで保持し、その弾性力でスペーサ７０を介してレンズ５０を押圧する。また、弾性部材９０は、面状照明装置１に振動が生じた場合、かかる振動を吸収する。弾性部材９０は、上フレーム１１と拡散板６０との間に配置され、上フレーム１１の天板側から拡散板６０を押圧する。なお、弾性部材９０は枠状に限らず、例えば断面形状が矩形状の棒状の弾性部材を複数本用いるものでもよい。
【００３０】
また、図３Ｂに示すように、弾性部材９０は、光学シート８０の上面を避けて設けられることにしてもよい。具体的には、弾性部材９０は、図３Ｂに示すように、拡散板６０の上面に設置され、天板１１ａによって拡散板６０側に押圧される。また、弾性部材９０の側面に光学シート８０が設置される。かかる場合に、光学シート８０は、上面視において拡散板６０よりも小さく、弾性部材９０は、光学シート８０が拡散板６０を覆っていない領域に設けられる。これにより、面状照明装置１の製造段階や、面状照明装置１に振動が生じた際に、光学シート８０が皺になることを抑制することができる。
【００３１】
次に、図４Ａおよび図４Ｂを用いて実施形態に係るレンズ５０の断面形状について説明する。図４Ａおよび図４Ｂは、図２に示すＢ−Ｂ線に沿った断面模式図である。図４Ａに示すように、実施形態に係るレンズ５０は、出射面５１に透過部５２と、凹部５３と、平坦部５７とを有し、裏面５４に反射部５５を有する。
【００３２】
透過部５２は、断面に直線または曲線を有し、出射面５１（平坦部５７）から突出する筋状の突起物である。透過部５２は、出射光の一部を屈折透過させる機能を有する。透過部５２は、図４Ａに示すように、断面視において、三角形形状であるが、これに限定されない。例えば、図４Ｂに示すように、透過部５２が断面視において半円状またはかまぼこ形状等の丸みを帯びた形状であってもよい。
【００３３】
ここで、境界領域とは、出射面５１において、互いに隣接する２つの点光源３０の中間となる領域である。また、透過部５２は、レンズ５０が覆う点光源３０の配列向きと略直交する向きに配列される。
【００３４】
上述したように、実施形態に係るレンズ５０は、短手方向に沿って複数の点光源３０を覆うので、透過部５２は、長手方向に沿って形成されることとなる。実施形態に係るレンズ５０では、出射面５１の境界領域に透過部５２を設けることで、隣接する出射面５１との境界部へと光の出射を促すことができる。これにより、隣接するレンズ５０間の輝度を向上させ、輝度を均一化することが可能となる。ここで、出射面５１の境界部とは、境界領域の上方の領域のことであり、点光源３０からの光が届きにくく、点光源３０の点灯時に暗くなりやすい領域である。
【００３５】
凹部５３は、出射面５１の点光源３０の直上部において、出射面５１から厚み方向に窪んだ形状である。言い換えれば、凹部５３は、出射面５１の点光源３０と対応する位置に設けられ、凹部５３は、出射面５１から裏面５４に向かって窪んだ形状であり、本実施形態ではその断面形状が略逆円錐形状（またはすりばち形状）に形成されている。凹部５３は、点光源３０から入射した光を裏面５４側に反射させる機能を有する。なお、凹部５３では必ずしも点光源３０から出射する全ての光を裏面５４側に反射させる必要はなく、凹部５３から拡散板６０へと透過する光があってもよい。
【００３６】
凹部５３は、上述のよう、点光源３０から出射した光を裏面５４側に向かって反射させる。出射面５１の点光源３０直上部は入射する光の光強度が強いが、凹部５３で点光源３０から出射する光の多くを裏面５４側に反射させることにより、点光源３０直上部の光強度を抑えることができる。言い換えれば、凹部５３で点光源３０からの光を反射することで、出射面５１の点光源３０直上部に対応する領域の輝度が高くなることを抑制できる。
【００３７】
このように、点光源３０から出射した光は、出射面５１で均一の光強度となるように配向が制御される。言い換えれば、レンズ５０は、光強度が強い光源直上部に入射する光を出射面５１全体に分散することで、輝度を均一化することができる。
【００３８】
平坦部５７は、凹部５３と連続して設けられる平坦面であり、反射部５５で再度反射された光を拡散板６０へと出射させる。すなわち、平坦部５７は、凹部５３によってレンズ５０内に拡散された光を出射面５１から出射させる。
【００３９】
反射部５５は、裏面５４からレンズ５０の厚み方向に突出したドットであり、例えば、裏面５４全体に均一に形成される。反射部５５は、出射面５１で裏面５４側に反射した光を再度出射面５１側に反射させる。なお、反射部５５の形状はドットに限定されない。
【００４０】
点光源３０から出射した光は、上述のよう、凹部５３によって裏面５４側に反射する。続いて、かかる光は、裏面５４に設けられた反射部５５によって再度出射面５１側に反射する。そして、反射部５５に反射した光は、出射面５１の平坦部５７から出射する。つまり、点光源３０から出射した光はレンズ５０内を導光し、略面発光へと変換されて出射する。
【００４１】
このように、第１の実施形態に係るレンズ５０では、点光源３０から入射する光を出射面５１全体から均一に出射するように配向を制御する。つまり、本実施形態に係るレンズ５０によれば、輝度の均一化を向上させることができる。
【００４２】
次に、図５を用いて実施形態に係るレンズ５０の裏面５４の形状について説明する。図５は、実施形態に係るレンズ５０を裏面５４側から見た斜視図である。なお、図５では、図４に示した反射部５５や図３に示した脚部５６等の記載を省略して示す。
【００４３】
図５に示すように、実施形態に係るレンズ５０は、楔状に突出した楔部５８を有する。楔部５８は、底面の対向する２つの辺がレンズ５０で覆う点光源３０の列と略直交し、底面の対向する２つの辺がレンズ５０で覆う点光源３０の列と略平行である。
【００４４】
すなわち、楔部５８は、裏面５４から点光源３０側に光が透過するのを抑制し、隣接するレンズ５０への光漏れを抑制することができる。また、楔部５８の先端は、楔部５８の底面に沿った平面で形成されるが、これに限定されない。すなわち、楔部５８の先端は、凸形状や凹形状であってもよい。また、図５に示す例では、楔部５８は、ピラミッド形状である。より詳細には、楔部５８は、レンズ５０の長手方向（Ｘ軸）に沿って傾斜した傾斜部５９ａと、レンズ５０の短手方向（Ｙ軸）に沿って傾斜した傾斜部５９ｂとによって構成される。なお、楔部５８は、ピラミッド形状に限定されず、傾斜部５９ａおよび傾斜部５９ｂのうち、一方で側面が形成されることにしてもよい。
【００４５】
また、ここでは、記載を省略したが、楔部５８は、上述した反射部５５が形成される。また、隣接する楔部５８の谷が上記の境界領域に対応し、境界領域の出射面５１側に透過部５２が形成される。すなわち、透過部５２は、隣接する楔部５８の谷に対応する領域に形成されることとなる。
【００４６】
次に、図６を用いて実施形態に係るレンズ５０の配光特性について説明する。図６は、実施形態に係るレンズ５０の配光特性を示す図である。なお、図６では、光の光路を破線で示す。
【００４７】
図６に示すように、点光源３０から出射した光は、上述のように、凹部５３によって裏面５４側に反射する。続いて、かかる光は、裏面５４に設けられた後述する反射部５５によって再度出射面５１側に反射する。そして、反射部５５に反射した光は、出射面５１の平坦部５７から拡散板６０へと出射する。さらに、透過部５２により一部の出射光が屈折透過され、隣接する出射面５１との境界部へと光の出射が促される。
【００４８】
また、凹部５３によって裏面５４側に反射した光は、反射部５５によって出射面５１側に反射するものの、その一部が反射部５５を透過する。このとき、かかる光は、傾斜部５９に対して所定の入射角を持って入射する。これにより、出射面５１で裏面５４側に反射した光は、傾斜部５９によって再度出射面５１側に反射する。
【００４９】
つまり、実施形態に係るレンズ５０は、裏面５４に楔部５８を設けることで、楔部５８による全反射を促進し、光を出射面５１側へと反射させる。すなわち、楔部５８は、裏面５４から点光源３０側に光が透過するのを抑制する。また、楔部５８は、隣接する出射面５１側への光漏れを抑制することができる。
【００５０】
また、裏面５４には、反射部５５が形成される。反射部５５は、傾斜部５９と同様に、出射面５１から裏面５４側に反射した光を出射面５１側に反射させる機能を有する。このように、実施形態に係るレンズ５０は、裏面５４に楔部５８と反射部５５とを有することで、裏面５４から光が透過するのを抑制することができる。また、本実施形態に係るレンズ５０は、裏面５４に楔部５８と反射部５５とを有することで、隣接する出射面５１側への光の導光を抑えることができる。換言すると、隣接する出射面５１側（隣接する点光源３０側）への光の漏れを抑制することで、出射効率および輝度均一性を向上させることができる。また、点光源３０を個別点灯した際のコントラストを向上させることも可能である。
【００５１】
したがって、実施形態に係るレンズ５０によれば、点光源個別点灯時のコントラスト向上および輝度の均一性を向上させることができる。
【００５２】
次に、図７および図８を用いて実施形態に係るレンズ５０の輝度分布を示すシミュレーション結果について説明する。図７および図８は、実施形態に係るレンズ５０のシミュレーション結果を示す図である。なお、図７では、輝度を濃淡で表し、濃淡が薄いほど、輝度が強い（明るい）ことを示す。また、図８では、濃淡が濃いほど、輝度が強いことを示す。
【００５３】
まず、図７を用いて点光源３０を９６灯（短手方向に６灯、長手方向に１６灯）点灯させた場合における輝度分布のシミュレーション結果について説明する。なお、以下では、楔部５８および透過部５２がないレンズのシミュレーション結果を比較のために示す。また、図７において四角で囲った領域が上記の境界領域に対応する。
【００５４】
図７に示すように、楔部５８および透過部５２がないレンズと、実施形態に係るレンズ５０とで、境界領域を比較すると、レンズ５０の方が、境界領域の輝度が向上していることが分かる。
【００５５】
つまり、実施形態に係るレンズ５０では、上述のように、点光源３０の直上部からレンズ５０に入射する光を出射面５１全体に分配するので、輝度を均一化することができる。
【００５６】
また、図８に示すように、点光源３０を１灯点灯させた場合、四角で囲った領域を比較すると、実施形態に係るレンズ５０の方が、楔部５８および透過部５２がないレンズよりも点光源３０から狭く導光されることが分かる。
【００５７】
つまり、実施形態に係るレンズ５０では、楔部５８および透過部５２によって裏面５４から光が隣接する点光源３０側および隣接するレンズ５０側に導光されるのを抑制するので、コントラストを向上させることがシミュレーション結果によっても支持される。
【００５８】
上述のように、実施形態に係るレンズ５０は、列状に配列された複数の点光源３０を出射方向から覆うレンズであって、出射面５１である主面と、主面と対向する裏面５４と、点光源３０に対応する位置において主面から裏面５４に向かって厚み方向に窪んだ複数の凹部５３と、主面から裏面５４側に反射した光を主面側に反射させる反射部５５とを備える。したがって、実施形態に係るレンズ５０によれば、出射効率および輝度の均一性を向上させることができる。
【００５９】
ところで、上述した実施形態では、楔部５８が略ピラミッド形状である場合について説明したが、これに限定されるものではない。続いて、図９および図１０を用いて変形例に係るレンズ５０Ｂ、５０Ｃについて説明する。
【００６０】
図９および図１０は、変形例に係るレンズ５０Ｂ、５０Ｃを裏面側から見た斜視図である。まず、図９を用いて第１の変形例に係るレンズ５０Ｂについて説明する。図９に示すように、第１の変形例に係るレンズ５０Ｂにおいて楔部５８Ｂは、レンズ５０Ｂの短手方向（Ｙ軸方向）に沿って傾斜した傾斜部５９Ｂによって構成される。また、図９に示す例では、楔部５８Ｂの先端が楔部５８Ｂの底面に沿った平面である場合について示しているが、これに限定されない。
【００６１】
傾斜部５９Ｂは、レンズ５０Ｂの裏面５４Ｂから短手方向に光が出射するのを抑制し、レンズ５０Ｂの出射面側に反射させる機能を担う。また、図１０に示すように、第２の変形例に係るレンズ５０Ｃにおいて、楔部５８Ｃは、レンズ５０Ｃの長手方向（Ｘ軸方向）に沿って傾斜した傾斜部５９Ｃによって構成される。また、図１０に示す例では、楔部５８Ｃの先端が楔部５８Ｃの底面に沿った平面である場合について示しているが、これに限定されない。傾斜部５９Ｃは、上記の出射領域に対応する裏面５４Ｃから光が出射するのを抑制し、レンズ５０Ｃの出射面側に反射させる機能を担う。
【００６２】
第１の変形例に係るレンズ５０Ｂおよび第２の変形例に係るレンズ５０Ｃのいずれを用いた場合であっても、出射効率および輝度の均一性を向上させることが期待できる。また、上記の楔部５８、５８Ｂ、５８Ｃでは、いずれも傾斜部５９、５９Ｂ、５９Ｃが平面で構成される場合について示したが、これに限定されるものではなく、少なくとも一部が曲面で構成されることにしてもよい。また、楔部５８は、５つ以上の傾斜部５９を備えることにしてもよい。すなわち、楔部５８の底面が５角形以上であってもよい。
【００６３】
また、上記実施の形態により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００６４】
１  面状照明装置、１０  フレーム、２０  基板、３０  点光源、４０  反射板、５０、５０Ｂ、５０Ｃ  レンズ、５２  透過部、５３  凹部、５５  反射部、５７  平面部、５８、５８Ｂ、５８Ｃ  楔部、５９、５９Ｂ、５９Ｃ  傾斜部
【図１】
2019109994.tif 000003
【図２】
2019109994.tif 000004
【図３Ａ】
2019109994.tif 000005
【図３Ｂ】
2019109994.tif 000006
【図４Ａ】
2019109994.tif 000007
【図４Ｂ】
2019109994.tif 000008
【図５】
2019109994.tif 000009
【図６】
2019109994.tif 000010
【図７】
2019109994.tif 000011
【図８】
2019109994.tif 000012
【図９】
2019109994.tif 000013
【図１０】
2019109994.tif 000014